(57)【要約】【課題】埋め込み型照明器具において、器具本体と埋め込み穴とのクリアランスを小さくでき、器具本体に対して埋め込み穴を小さくでき、器具本体幅を小さくでき、コンパクト化を図る。【解決手段】取付ばね４は、器具本体２の外面に取付けられ、ばね先端が器具本体外面で周方向に埋め込み穴６ａの径より外方に突出しており、器具本体を埋め込み穴に挿入すると、ばね先端が埋め込み穴６ａの端面に食い込むようになって、器具が埋め込み穴６ａに取付けられる。その結果、小さい埋め込み穴６ａであって、埋め込み穴６ａと器具本体２とのクリアランスが小さくても、器具本体２を埋め込み穴６ａに取付けることができ、器具をコンパクトにすることができる。【選択図】図６
2005158425.tif 000002
【特許請求の範囲】
【請求項１】
器具取付け面に設けられた埋め込み穴に器具本体を挿入し、この器具本体の下端部の外鍔を取付け面下面に当接させ、器具本体外面に設けられ外方に付勢される取付ばねで取付けられる埋め込み型照明器具において、
前記取付ばねは、埋め込み穴の端面に略平行な器具本体外面に略沿うように取付けられ、かつ、該ばねの先端が埋め込み穴径より外方に突出しており、器具取り付け時には該ばね先端が埋め込み穴の端面に食い込むようになることを特徴とする埋め込み型照明器具。
【請求項２】
前記取付ばねは、該ばねの先端部から上方へ突出して、器具取り付け時にガイドとなるガイド片を有していることを特徴とする請求項１記載の埋め込み型照明器具。
【請求項３】
前記ガイド片の上端部には、外方へ突出する落下防止片が形成されていることを特徴とする請求項２記載の埋め込み型照明器具。
【請求項４】
前記取付ばねは、器具本体の周方向に互いに逆方向に突出するように複数設けられていることを特徴とする請求項１記載の埋め込み型照明器具。
【発明の詳細な説明】
【技術分野】
【０００１】
本発明は、天井、壁等に設けられた埋め込み穴に挿入され取付けられる埋め込み型照明器具に関する。
【背景技術】
【０００２】
従来、この種の埋め込み型照明装置として、天井等の器具取付け面に設けられた埋め込み穴に器具本体を挿入し、この器具本体の下端部の外鍔を取付け面下面に当接させ、器具本体外面に設けられ外方に付勢される取付ばねを用いて取付けられる構成が知られている（特許文献１参照）。
【特許文献１】実開昭６２−４０１８号公報
【発明の開示】
【発明が解決しようとする課題】
【０００３】
しかしながら、上記特許文献１に記載されているような照明器具においては、取付ばねが器具本体の周方向に延びる要素もあるが、大概は取付け面を成す天井等の造営材の上面から押さえるものである。そして、器具取付けに際しては、取付ばねの先端を器具本体に係合させた状態で取付け穴に挿入し、その後に、器具本体内に手を差し入れて取付ばね先端の係合を解く必要がある。そのため、器具本体枠幅を手を差し入れることができない程には、小さくできず、また、取付ばねが棒立ち状となり、ずり落ちたりしないようにするためには、取付ばねが取付け穴外方に十分に広がるよう器具本体と取付け穴とのクリアランスが比較的大きく必要となり、器具本体の下端部の外鍔の幅が大きくなり、小型の埋め込み型照明器具とすることは難しい。また、取付け面の厚みが薄い場合、取付ばねによる挟み圧が低くなり、取付けが安定しない。
【０００４】
本発明は、上記問題を解消するものであり、器具本体と埋め込み穴とのクリアランスを小さくできると共に器具本体に対して埋め込み穴を小さくでき、器具本体幅を小さくでき、コンパクト化が図れ、また、薄い取付け面へも安定した取り付けが可能な埋め込み型照明器具を提供することを目的とする。
【課題を解決するための手段】
【０００５】
上記目的を達成するために、請求項１の発明は、器具取付け面に設けられた埋め込み穴に器具本体を挿入し、この器具本体の下端部の外鍔を取付け面下面に当接させ、器具本体外面に設けられ外方に付勢される取付ばねで取付けられる埋め込み型照明器具において、前記取付ばねは、埋め込み穴の端面に略平行な器具本体外面に略沿うように取付けられ、かつ、該ばねの先端が埋め込み穴径より外方に突出しており、器具取り付け時には該ばね先端が埋め込み穴の端面に食い込むようになるものである。
【０００６】
請求項２の発明は、請求項１の発明において、取付ばねは、該ばねの先端部から上方へ突出して、器具取り付け時にガイドとなるガイド片を有しているものである。
【０００７】
請求項３の発明は、請求項２の発明において、ガイド片の上端部には、外方へ突出する落下防止片が形成されているものである。
【０００８】
請求項４の発明は、請求項１の発明において、取付ばねは、器具本体の周方向に互いに逆方向に突出するように複数設けられているものである。
【発明の効果】
【０００９】
請求項１の発明によれば、取付ばねの先端が、器具本体外面で周方向に突出しており、器具本体を埋め込み穴に挿入すると、埋め込み穴の端面に食い込むようになって、器具が埋め込み穴に取付けられる。その結果、小さい埋め込み穴であって、埋め込み穴と器具本体とのクリアランスが小さくても、器具本体を埋め込み穴に取付けることができる。それにより、コンパクトな器具を実現できる。
【００１０】
請求項２の発明によれば、ガイド片が取付ばね先端上方に突出しているので、器具の取り付けは、ガイド片をすぼめた状態で取付け穴に挿入するだけで行え、従来のように器具本体内に手を差し入れる必要がないので、器具本体を小型化することができる。
【００１１】
請求項３の発明によれば、器具本体を埋め込み穴に挿入したとき、器具の落下が防止される。
【００１２】
請求項４の発明によれば、埋め込み穴の端面に食い込む２つの取付ばねが互いに逆方向を向いているので、器具本体に加わる回転力に対して時計回り・反時計回りいずれの方向に対しても同程度の力に耐えることができ、器具の取り付けが安定する。
【発明を実施するための最良の形態】
【００１３】
以下、本発明の第１実施形態による照明器具について図面を参照して説明する。図１、図２は、ダウンライトとして搭載された照明器具１の異なった角度での半裁断面を示し、図３は照明器具１の外観を示す。照明器具１は、天井壁等の器具取付け面である造営材６の埋め込み穴６ａに挿入されて取付けられるものであり、枠状の樹脂成形品、又はアルミダイカスト製の器具本体２と、この器具本体２に保持され、光源としてのＬＥＤ５が内装された略球状の灯具３と、器具本体２を埋め込み穴６ａに挿入された状態で取付けるための取付ばね４とから成る。この取付ばね４は、埋め込み穴６ａの端面に略平行な器具本体２の外面に略沿うように取付けられる。
【００１４】
器具本体２は、灯具３の径より小径の内周円をなす円形開口２１と、器具本体２の下端部にあって造営材６に当接される外鍔２２とを有し、円形開口２１の開口内周縁上に灯具３が載置される。灯具３は、放熱部の形成された略半球状の上部材３１と、ＬＥＤ５の出射光を集光させるレンズ、光反射リフレクタ等を備えた略半球状の下部材３２とから成り、両者はネジ３３により結合されている。
【００１５】
取付ばね４は、図４にも示されるように、器具本体２に固定するための固定部４１と、灯具３の上部を押さえて灯具３の照射方向を可変自在とする押さえ部４２と、外方に付勢されていて、造営材６の埋め込み穴６ａに挿入された状態で照明器具１を取付けるためのばね部４３及び摩擦を大きくするための凹凸部４４と、ばね部４３の先端部から上方へ突出して器具取り付け時にガイドとなるガイド片４６と、ガイド片４６の上端部で外方に突出する落下防止片４５とを一体的に有する。
【００１６】
略球状の灯具３は、その下部材３２が器具本体２の円形開口２１の開口内周縁上に載置され、上部材３１の上方から取付ばね４の押さえ部４２によるばね圧で押し下げられた状態にある。これにより、灯具３は、器具本体２に取付けられると同時に、球の中心を軸に任意に回転自在に保持される。下部材３２の投光開口縁３２ａは、灯具３を傾動させるときにユーザが手を掛ける部位として突出形成されている。そして、灯具３の回転は、その投光開口縁３２ａが器具本体２の円形開口２１の開口内周縁に当接する位置で規制され、これにより、照射方向の鉛直方向に対する傾き角度は、図１に示されるように、照射方向中心軸Ｖと照射方向軸Ｄとの成す角度θの範囲で任意に変更することができる。
【００１７】
灯具３には、図５に示されるように、電源線（リード線）７が接続され、この電源線７は、取付ばね４の押さえ部４２の上面にアタッチメント４７により固定される。また、取付ばね４は、固定部４１が器具本体２に係合固定される。ばね部４３は、中心を挟んで対称位置に一対、埋め込み穴６ａの内径よりも自然状態で上方から見て接線方向外方に延びるように設けられている。照明器具１を埋め込み穴６ａに挿入するときは、このばね部４３、ガイド片４６、及び落下防止片４５を内方にすぼめた状態とする。照明器具１を埋め込み穴６ａに挿入した後は、ばね部４３の復元反発力により、図２に示されるように、その先端側の凹凸部４４が造営材６に食い込むことで、照明器具１が保持される。また、落下防止片４５により器具の落下防止が成される。
【００１８】
本実施形態による照明器具１においては、器具の取り付けに際しては、取付ばね４のばね部４３のガイド片４６を手で摘み、内径方向にすぼめた状態で埋め込み穴６ａに挿入し押し込めば、ばね部４３は器具本体２の外面で周方向に突出し、外方に付勢されているので、自動的にばね部４３が埋め込み穴６ａの端面に食い込む。これにより、器具をワンタッチで容易に取付けることができる。こうして、従来のように器具本体２内に手を差し入れる必要がないので、器具本体２を小型化することができる。また、取付け面の端面の厚みに左右されることなく安定して取付けることができるので、薄い部材にも対応可能である。
【００１９】
また、埋め込み穴６ａの径は、器具本体２の外径より僅かに大きいだけでよく、埋め込み穴６ａとのクリアランスが小さくても器具を取付けることができるので、器具本体２の下端部の外鍔２２の幅を狭くでき器具をコンパクトにできる。例えば、埋め込み穴６ａが、φ５０乃至φ１００ｍｍ以下の比較的、小径のものにも対応した器具となる。また、本実施形態のように取り付けられた取付ばね４を用いれば、従来のウィングバネを用いた場合に比べて、梱包を小さくできる。
【００２０】
図６（ａ）（ｂ）は、器具本体２の埋め込み穴６ａへの取付け前と取付け後の取付ばね４の状態を示している。ここでは、器具本体２の外周面で、ばね部４３が当接する位置に突起（支点）２４を設けた例を示している。同図に示されるように、取付け前では、ばね部４３の先端部は埋め込み穴６ａの内径よりも外方に突出しているが、取付け後は、ばね部４３の先端部は埋め込み穴６ａの端面に内接する。そのとき、突起（支点）２４が存在するため、テコの原理で、ばね部４３の内接力は大きくなる。そして、これら部材の構成により、ばね圧の調整ができ、器具挿入時の操作力のバランス調整を行うことができる。また、この例では、取付け前に飛び出していた部位とその反対側部位が、ばねの反発力により埋め込み穴６ａの端面に圧接部Ａ，Ｂとなるようにすることができる。
【００２１】
図７は、第２実施形態による照明器具の平面構成を示す。前述と同部材には同符号を付している。この実施形態においては、取付ばね４のばね部４３が、器具本体２の周方向に互いに逆方向に突出するように複数設けられている。取付ばね４はネジ２５により器具本体２に固定されている。上述第１実施形態では、ばね部４３が円周方向に同じ向きにばねが向いているため、水平方向の回転に対して力の差があり、回転してしまうことがある。それに対し、第２実施形態では、どちらの方向の力も突っ張るようになり、器具本体に加わる回転力に対して時計回り・反時計回りいずれの方向に対しても同程度の力に耐えることができ、器具の取り付けが安定する。
【００２２】
図８は、第３実施形態による照明器具の外観を示す。この実施形態においては、取付ばね４として、その取付け部の左右両側にばね部４３ａ，４３ｂを有するものを用いている。ばね部４３ａ，４３ｂの先端にはそれぞれガイド片４６ａ，４６ｂを有する。取付ばね４は、器具本体２の外面にネジ２７と器具本体２の突起２６により固定される。一方の取付ばね４とは反対側にも同様な取付ばね４を設ければよい。落下防止片は、対角位置に設ければ摘み易いものとなる。
【００２３】
図９、図１０は、第４実施形態による照明器具の外観及び平面構成を示す。この実施形態においては、取付ばね４は、１ヶ所だけとしている。この取付ばね４は、一端側をネジ２８により器具本体２に固定し、ばね部４３を接線方向外方に突出させている。この場合も、ばね部４３が当接する突起２４を器具本体２に設けておくことで、ばね圧を高めることができる。また、埋め込み穴６ａの端面に当接し得るリブ２９を、取付ばね４の固定された位置とは反対側の器具本体２の外周面に設けている。このように、突起２４やリブ２９を設けることで、取付ばね４と埋め込み穴６ａ端面との摩擦が増し、器具本体２のズレ防止効果が高まり、器具全体の小型化が図れる。
【００２４】
本発明は、上記実施形態の構成に限られることなく、発明の趣旨を変更しない範囲で種々の変形が可能である。例えば、上記ではダウンライトの場合を示したが、シーリングやペンダント形態の照明器具であっても同様に適用することができる。
【図面の簡単な説明】
【００２５】
【図１】本発明の第１実施形態による照明器具の半裁断面図。
【図２】同上による照明器具の上記とは異なった角度での半裁断面図。
【図３】同上による照明器具の外観図。
【図４】同上による照明器具の取付ばねの斜視図。
【図５】同上による照明器具の平面図。
【図６】（ａ）（ｂ）は器具の取付け前と取付け後の部分平面図。
【図７】本発明の第２実施形態による照明器具の平面図。
【図８】本発明の第３実施形態による照明器具の斜視図。
【図９】本発明の第４実施形態による照明器具の斜視図。
【図１０】同上による照明器具の平面図。
【符号の説明】
【００２６】
１  照明器具
２  器具本体
４  取付ばね
４３  ばね部
４５  落下防止片
４６  ガイド片
６  造営材
６ａ  埋め込み穴
【図１】
2005158425.tif 000003
【図２】
2005158425.tif 000004
【図３】
2005158425.tif 000005
【図４】
2005158425.tif 000006
【図５】
2005158425.tif 000007
【図６】
2005158425.tif 000008
【図７】
2005158425.tif 000009
【図８】
2005158425.tif 000010
【図９】
2005158425.tif 000011
【図１０】
2005158425.tif 000012